(57)【要約】      （修正有）【課題】鋸刃と係合する係止部の係止面が、上後方に向かって傾斜する傾斜面である為、使用中に繰出物に対して没入方向に強い力が加わった際、スライダーが下方に撓もうとする力に対して、前記係止部には傾斜面に沿った上方向の力が働き、前記スライダーが下方に撓むことなく、前記繰出物の没入を確実に防止することができる繰出容器を提供することを目的とするものである。【解決手段】長軸方向にスリットを有する軸筒と、該スリットに沿って前後方向に摺動するとともに、上下方向に可撓性を有するスライダー４と、該スライダー４に設けられた係止部４ａと、前記スライダー４に保持された繰出物と、前記スリット又は、前記軸筒に形成され、前記係止部４ａの係止面と係合する鋸刃１ｂと、からなる繰出容器であって、前記係止面は、上後方に向かって傾斜する傾斜面であることを特徴とする繰出容器である。【選択図】図８
2018118448.tif 000002
【特許請求の範囲】
【請求項１】
長軸方向にスリットを有する軸筒と、
該スリットに沿って前後方向に摺動するとともに、上下方向に可撓性を有するスライダーと、
該スライダーに設けられた係止部と、
前記スライダーに保持された繰出物と、
前記スリット又は、前記軸筒に形成され、前記係止部の係止面と係合する鋸刃と、
からなる繰出容器であって、
前記係止面は、上後方に向かって傾斜する傾斜面であることを特徴とする繰出容器。
【請求項２】
前記鋸刃は、前記係止面に対応する傾斜面を有することを特徴とする請求項１に記載の繰出容器。
【発明の詳細な説明】
【技術分野】
【０００１】
本発明は、棒状物を繰り出す繰出容器に関する。
【背景技術】
【０００２】
従来から、繰出容器として、スライダーに設けた係止部と、本体に設けた鋸刃を係合させることで、使用中の繰出物の没入（後方への移動）を防止したものが知られている（例えば、特許文献１、２参照）。
【先行技術文献】
【特許文献】
【０００３】
【特許文献１】特開昭５４−１３８７２９号公報
【特許文献２】実公昭６３−５０１５２号公報
【発明の概要】
【発明が解決しようとする課題】
【０００４】
しかしながら、特許文献１、２では、係止部の係止面が軸筒の長軸方向に対して垂直である為、使用中、繰出物に対して、没入方向に強い力が加わった際、スライダーが下方に撓み、繰出物が没入する可能性があった。
本発明は、鋸刃と係合する係止部の係止面が、上後方に向かって傾斜する傾斜面である為、使用中、繰出物に対して没入方向に強い力が加わった際、スライダーが下方に撓もうとする力に対して、前記係止部には傾斜面に沿った上方向の力が働き、前記スライダーが下方に撓むことなく、使用中における前記繰出物の没入を確実に防止することができる繰出容器を提供することを目的とするものである。
【課題を解決するための手段】
【０００５】
上記の課題を解決するために完成された第１の発明は、長軸方向にスリットを有する軸筒と、該スリットに沿って前後方向に摺動するとともに、上下方向に可撓性を有するスライダーと、該スライダーに設けられた係止部と、前記スライダーに保持された繰出物と、前記スリット又は、前記軸筒に形成され、前記係止部の係止面と係合する鋸刃と、からなる繰出容器であって、前記係止面は、上後方に向かって傾斜する傾斜面であることを特徴とする繰出容器である。
【０００６】
第２の発明は、前記鋸刃は、前記係止面に対応する傾斜面を有することを特徴とする第１の発明に記載の繰出容器である。
【発明の効果】
【０００７】
第１の発明では、長軸方向にスリットを有する軸筒と、該スリットに沿って前後方向に摺動するとともに、上下方向に可撓性を有するスライダーと、該スライダーに設けられた係止部と、前記スライダーに保持された繰出物と、前記スリット又は、前記軸筒に形成され、前記係止部の係止面と係合する鋸刃と、からなる繰出容器であって、前記係止面は、上後方に向かって傾斜する傾斜面である為、使用中、繰出物に対して、没入方向に強い力が加わった際、スライダーが下方に撓もうとする力に対して、係止部には傾斜面に沿った上方向の力が働く為、スライダーが下方に撓むことなく、使用中における繰出物の没入を確実に防止することができる。
【０００８】
第２の発明では、前記鋸刃は、前記係止面に対応する傾斜面を有している為、前記鋸刃と前記係止部は面接触している。その為、使用中、前記繰出物に対して没入方向に大きな力が加わった際、接触面で、前記スライダーが下方に撓もうとする力に対して、大きな摩擦力が生じ、没入防止効果を高めることができる。また、点接触の場合と比較して係止部に加わる負担を小さくすることができる。
【図面の簡単な説明】
【０００９】
【図１】本発明の第１、第２の実施形態を示す全体の平面図である。
【図２】本発明の第１、第２の実施形態を示すＡ−Ａ断面図である。
【図３】本発明の第１、第２の実施形態を示す軸筒の平面図である。
【図４】本発明の第１、第２の実施形態を示すＢ−Ｂ断面図である。
【図５】本発明の第１、第２の実施形態を示すＣ−Ｃ断面図である。
【図６】本発明の第１、第２の実施形態を示すスライダーの正面図である。
【図７】本発明の第１、第２の実施形態を示すスライダーの斜視図である。
【図８】本発明の第１、第２の実施形態を示す係合部の拡大図である。
【図９】本発明の第１、第２の実施形態を示す繰出動作を説明するためのフロー図である。
【発明を実施するための形態】
【００１０】
次に、本発明の第１の実施形態の繰出容器を図１〜図９に基づいて説明する。
尚、本発明において「前方」「前端」とは、繰出物を繰出す方向を指し、「後方」「後端」とは、繰出物を没入させる方向を指す。没入とは、繰出物に対して、後方に強い力が加わった際、繰出物が後方に摺動する事を言う。また、前記した「前方」「前端」に向かって右側を「右」、左側を「左」とする。
更に、「上方」「上端」とは、軸筒にスリットが設けられた側を指し、「下方」「下端」とは、その反対側を指す。
【００１１】
軸筒１は、図１〜図５に示すように、両端を開口した、略三角柱状の筒体である。後端及び前端には、尾栓２及びキャップ３が装着されている。前記軸筒１の三面のうち一面の中央には、後端部から前方にかけて長軸方向にスリット１ａが形成されている。
前記スリット１ａは、片側側面に複数の鋸刃１ｂが内側に向けて等間隔に形成されている。
前記鋸刃１ｂは、図３に示すように、スリット１ａの側面に形成された、複数の三角形状の突起である。また、図８に示すように、前記突起と、前記スリット１ａの側面が交わる辺（付け根）のうち、後方辺及び前方辺は後方に向かって傾斜している。該後方辺及び前方辺から前記スリット１ａの内側に向かって伸びる面のうち、後方面は、下前方に傾斜しており、前方面は、上後方に傾斜している。
【００１２】
前記スライダー４は、図２、図６〜図７に示すように、「く」の字型の樹脂製の板バネ４ｃを有しており、前記板バネ４ｃは、開口側を前方に向け、且つ、弾発方向が前記軸筒１の上下方向と一致するように収容されている。前記板バネ４ｃ上端面には、支柱を介して前記スリット１ａより上方に露出し、上部が平坦面からなる指当て部４ｆが形成されている。前記板バネ４ｃ上端面の前端には、係止部４ａが上方向に突設されている。前記板バネ４ｃ上端面の後端部には、上方向に凸状の肉厚部４ｄ、前記板バネ４ｃ下端面には、下方向に凸状の凸状部４ｅが設けられており、前記肉厚部４ｄ上端部から前記凸状部４ｅ下端部までの長さが、前記軸筒１内壁の上下方向の長さよりも少し短く、僅かに隙間ができるように設計されている。また、前記板バネ４ｃ下端面の前方延長上には、繰出物５を保持するホルダー４ｇが延設されている。前記ホルダー４ｇは、前端を開口した、略三角柱状の筒体である。
前記繰出物５は、図２、図４、５に示すように、三角柱型の棒状物であり、後端から前記ホルダー４ｇの前端部に押し込まれ、保持されている。
【００１３】
前記係止部４ａは、図２、図６〜図８に示すように、前記板バネ４ｃ上端面の前端に三角柱状の突起を、突起の先端が上方向を向くように突設されており、前記鋸刃１ｂに係合している。前記係止部４ａの左右幅は、前記鋸刃１ｂと係合時、前記スリット１ａの左右幅（鋸刃１ｂの付け根から、もう一方の辺までの長さ）と略同一になるように設計されている。また、前記突起の前方面は、上後方に傾斜する傾斜面を有している。また、前記鋸刃１ｂと係合する前記係止部４ａの係止面４ｂは、上後方に向かって傾斜する傾斜面である。
【００１４】
次に、本発明の第１の実施例の作用・効果について説明する。
前記スライダー４は、前記指当て部４ｆを指で下方に押し込むことで、前記板バネ４ｃが下方向に撓み、前記鋸刃１ｂと前記係止部４ａとの係合が解除され、前後方向に摺動自在となる（図９（ａ））。この状態で前記スライダー４を前方に摺動させると、前記スライダー４に保持された前記繰出物５が前記軸筒１前端から繰出される（図９（ｂ））。この時、指当て部４ｆから指を離すと、前記板バネ４ｃが上方に復帰し、前記鋸刃１ｂと前記係止部４ａとが再度係合する（図９（ｃ））。従って、前記繰出物５が前記軸筒１先端より所定量突出した状態で係合停止することができる。
また、図２、図６、７に示すように、前記板バネ４ｃに設けた前記肉厚部４ｄ及び前記凸状部４ｅと、前記軸筒１内壁の間に僅かに隙間がある為、前記スライダー４をスムーズに前後摺動できると同時に、前記軸筒１内で前記板バネ４ｃが上下方向に大きく動くことが無い。その為、没入防止効果を、より高めると同時に、摺動時における前記スライダー４のガタツキを防止することができる。
【００１５】
尚、前記繰出物５は、ホルダー４ｇに着脱自在に保持されている為、交換が可能である。また、前記軸筒１には、後端部まで長軸方向にスリット１ａが形成されている為、前記スライダー４の前記指当て部４ｆを指で押し込み、そのまま後方へ摺動させると、前記スライダー４を、前記軸筒１の後端部から取り外し、前記スライダー４又は前記繰出物５の交換が可能である。
前記軸筒１は、断面が三角形状の筒体である為、机上等、平たい面に置いても転がらずに、安定している。
【００１６】
前記係止部４ａは、図２、図６、図７に示すように、前方面が上後方に傾斜した傾斜面であり、また、図８に示すように、前記鋸刃１ｂの前記突起と前記スリット１ａの側面が交わる辺のうち、後方辺が後方に傾斜しており、該後方辺から前記スリット１ａの内側に向かって伸びる面のうち、後方面は、下前方に傾斜している為、前記スライダー４を下方に押し込む際、前記係止部４ａの前方面と前記鋸刃１ｂの後方面が互いに干渉することなく、更に、前記スライダー４を前方向に摺動させる際、前記鋸刃１ｂと接触しても、互いに力が受け流され、スムーズに摺動させることができる。前記係止部４ａの左右幅は、前記鋸刃１ｂと係合時、前記スリット１ａの左右幅（鋸刃１ｂの付け根の辺から、もう一方の辺までの長さ）と略同一である為、使用中、前記繰出物５に対して没入方向に強い力が加わった際、前記係止部４ａが、係合部から横（左又は右）にそれて、係合が解除され、前記繰出物５が没入するのを防止している。
【００１７】
更に、図８に示すように、前記鋸刃１ｂと係合する前記係止部４ａの係止面４ｂは、上後方に向かって傾斜する傾斜面である為、使用中、前記繰出物５に対して没入方向に強い力が加わった際、前記スライダー４が下方に撓もうとする力に対して、前記係止部４ａには傾斜面に沿った上方向の力が働く為、前記スライダー４が下方に撓むことなく、前記繰出物５の没入を確実に防止することができる。  
【００１８】
ここで、前記軸筒１の後端は初めから閉塞されるように成形されていてもよい。また、前記軸筒１の断面形状は、丸形状や楕円形状や四角形以上の多角形状等のいずれであってもよい。前記スリット１ａは、前記軸筒１の表面の後端部から前方に限らず、後方から前方に形成されていてもよいし、設ける場所も表面中央に限らない。
前記鋸刃１ｂは、前記軸筒１の内壁上面に、下向きに設けてもよい。また、前記鋸刃１ｂは、前記スリット１ａ又は、前記軸筒１の内壁上面の両側に設けてもよいし、形状は四角形以上の多角形状等のいずれであってもよい。前記鋸刃１ｂと前記スリット１ａの側面が交わる辺（付け根）のうち、後方辺は、前方に傾斜していてもよいし、前記スリット１ａの側面の長軸方向に対して垂直であってもよい。また、前記後方辺から前記スリット１ａの内側に向かって伸びる後方面は、前記スリット１ａの側面に対して垂直に面が形成されていてもよい。また、前記係止面４ｂ及び、前記係止面４ｂと係合する前記鋸刃１ｂの前方面は、平面、曲面のいずれであってもよい。尚、前記係止面４ｂ及び、前記鋸刃１ｂの前方面が、一方或いは、互いが曲面を有する場合や、傾斜角の異なる平面を有する場合等には、前記係止面４ｂと前記鋸刃１ｂの前方面が点接触する。
【００１９】
前記スライダー４の前記板バネ４ｃは、上下方向に可撓性を有するものであれば材質、形状は限定されず、板バネ以外のバネ体、ゴム体、その他弾性を有するものであれば特に限定されない。前記係止部４ａは、前記板バネ４ｃ上端面であれば、どこに設けてもよい。また、前記係止面４ｂは平面、曲面のいずれであってもよい。前記肉厚部４ｄ、前記凸状部４ｅは、互いの上端から下端部までの長さが、前記軸筒１内壁の上下方向の長さより少し短く、僅かに隙間ができるように形成されていれば、形状は限定されない。前記繰出物５を保持するホルダー４ｇは前記板バネ４ｃ下端面と一体でも、別体で設けてもよい。また前記ホルダー４ｇは、複数の板又は、棒状の物等で、前記繰出物を挟み込んで保持する構成としてもよい。
前記繰出物５の形状は、丸形状や楕円形状や四角形以上の多角形状等のいずれであってもよい。また、前記繰出物５は消しゴム、化粧品、クレヨン、筆記具、糊等、棒状の物であれば特に限定されない。
【００２０】
前記係止部４ａは、係止面４ｂが上後方に向かって傾斜する傾斜面であれば、形状は四角柱以上の多角柱状等のいずれであってもよい。
また前方面は前記軸筒１に対して垂直面でも、前方に傾斜する傾斜面でもよい。
【００２１】
次に、本発明の第２の実施形態の繰出容器を図２、図８に基づいて説明する。ここでは、前記した第１の実施形態と異なる点のみを説明する。
本実施の形態では、前記鋸刃１ｂは、前記係止面４ｂと対応する傾斜面を有している。ここで、前記対応するとは、例えば、前記鋸刃１ｂと、前記係止面４ｂとが対向して面接触することを意味する。
【００２２】
次に、本発明の第２の実施例の作用・効果について説明する。ここでは、前記した第１の実施形態と異なる点のみを説明する。
前記係止面４ｂは、図８に示すように、前記鋸刃１ｂと係合時、面接触している。その為、使用中に前記繰出物５に対して没入方向に強い力が加わった際、接触面で、前記スライダー４が下方に撓もうとする力に対して、大きな摩擦力が生じる。その為、没入防止効果をより高めることができる。また、点接触の場合と比較して前記係止部４ａに加わる負担を小さくすることができる。
【００２３】
尚、本実施形態によれば、前記係止面４ｂの傾斜角に応じて、前記鋸刃１ｂの傾斜角が決定される。理論上、前記係止面４ｂの傾斜角を小さくするほど、前記繰出物５に、没入方向に強い力が加わった際、係止部４ａには、傾斜面に沿った上方向の力が大きくなり、没入防止効果は高くなる。しかしながら、それに伴って、前記鋸刃１ｂの傾斜角が小さくなり、前方部の肉厚は薄くなる為、強度が弱くなる。従って、没入防止効果と、前記鋸刃１ｂの強度との兼ね合いによって傾斜角を決定する必要がある。例えば、前記軸筒１（前記鋸刃１ｂ）の材質がＰＰ（ポリプロピレン）の場合、傾斜角が７５〜８０度の場合に没入防止効果と前記鋸刃１ｂの強度の釣り合いが最良である。
【００２４】
以上、本発明に係る繰出容器の好ましい実施形態を説明したが、本発明の技術的思想は、ここで説明された実施形態に限定して解釈されるべきではない。当業者は、本発明の要旨又は技術思想から逸脱しない範囲で、この実施形態を適宜、変更又は改良を加えることができる。そのような変更又は改良を伴う繰出容器及び関連する周辺技術は、本発明の技術的範囲に包含されるものとして理解されなければならない。
【符号の説明】
【００２５】
１  軸筒
１ａ  スリット
１ｂ  鋸刃
２  尾栓
３  キャップ
４  スライダー
４ａ  係止部
４ｂ  係止面
４ｃ  板バネ
４ｄ  肉厚部
４ｅ  凸状部
４ｆ  指当て部
４ｇ  ホルダー
５  繰出物
【図１】
2018118448.tif 000003
【図２】
2018118448.tif 000004
【図３】
2018118448.tif 000005
【図４】
2018118448.tif 000006
【図５】
2018118448.tif 000007
【図６】
2018118448.tif 000008
【図７】
2018118448.tif 000009
【図８】
2018118448.tif 000010
【図９】
2018118448.tif 000011